(57)【要約】【課題】本発明は、設置に費用や手間がかかることがなく、かつ非常に利用しやすいコストで提供することができる自立型セキュリティ装置を提供しようとするものである。【解決手段】設置場所における設置工事を不要とした、機器を収容する自立型の移動可能なハウジングを備え、該ハウジングにはハウジング内部の温度調節、防水、調湿または防塵を可能とする機器を備えるとともに、前記ハウジング内には温度調節、防水、調湿または防塵機能を有しない各種緊急対応のための機器類を収納可能としたことを特徴とする自立型セキュリティ装置。【選択図】図１
2017147309.tif 000002
【特許請求の範囲】
【請求項１】
設置場所における設置工事を不要とした、各種緊急対応のための機器類を収容する自立型の移動可能なハウジングを備え、
該ハウジングにはハウジング内部の温度調節、防水、調湿または防塵を可能とする機器類を備えるとともに、
前記ハウジング内には温度調節、防水、調湿または防塵機能を有しない各種緊急対応のための機器類を収納可能としたことを特徴とする自立型セキュリティ装置。
【請求項２】
前記各種緊急対応のための機器類は、種々の情報を表示するためのサイネージ機器、顔認証や監視のために使用する撮像カメラ、音楽や音声案内を流す音響機器から選ばれてなることを特徴とする請求項１に記載の自立型セキュリティ装置。
【請求項３】
前記各種緊急対応のための機器類は、それぞれ通常スペックの映像機器、撮像カメラ、および＼または音響機器から選ばれてなることを特徴とする請求項１または２に記載の自立型セキュリティ装置。
【請求項４】
前記各種緊急対応のための機器類は、それぞれＡＥＤ、非常用応急薬品および＼または消火器から選ばれてなることを特徴とする請求項１ないし３のいずれかに記載の自立型セキュリティ装置。
【請求項５】
前記機器を収容する自立型の移動可能なハウジングは、前記顔認証や監視のために使用する撮像カメラのカモフラージュのため、もしくは撮像カメラに顔が向くようにするための映像機器、ルータ等を含む通信機器、ハウジング内外の温度・湿度・気圧・風速等の各種の気象情報を測定するための百葉箱に類似した測定機器類、パンフレット受け、および＼または広告貼付部材を設置可能としたことを特徴とする請求項１ないし４のいずれかに記載の自立型セキュリティ装置。
【発明の詳細な説明】
【技術分野】
【０００１】
本発明は、１つのハウジング内に種々のセキュリティ手段を選択的に搭載可能とした自立型セキュリティ装置に関するものである。
【背景技術】
【０００２】
従来の屋外における防犯装置としては、ほとんどが建築物の外壁や電柱、その他の既設の構築物に取り付けられた監視カメラ、あるいは人感センサやライト付きの監視カメラに頼っていた。
また近年、路傍に多数設置されている飲食料品やたばこ、その他の物品を販売する各種の自動販売機を利用した防犯装置が提案されてきている。
特開平９−３５１３３号公報（特許文献１参照）には、非常スイッチを備えた緊急通報手段と、マイク、スピーカとを備え、前記非常スイッチの操作によって緊急通報手段が作動されたときには、通信回線を通じて接続された特定の警備センターに設置された通話機能を有した通信端末機を呼出し、上記マイクとスピーカを通じて、上記通信端末機と通話が行えるようにした非常通報機能を備えた自動販売機が記載されている。
【０００３】
実用新案登録第３０９４５３７号公報（特許文献２参照）には、人の接近を感じる人感センサと、スピーカと、周囲を照らすライトと周囲を撮影する監視カメラを備え、さらに、内部にタイマーと、音声記録発生部と、異常通報装置と、映像記録装置と、通信装置を備える防犯機能付自動販売機であって、前記異常通報装置は、前記人感センサが人の接近を検知したときには、予め音声記録発生部に録音しておいた複数のフレーズから、所定のフレーズを前記スピーカから発生させ、所定の時間がたっても自動販売機から人が離れず、しかも商品購入の操作もしない場合には、監視カメラ、および映像記録装置、更に夜間には前記ライトを作動させて、監視カメラにより周囲を撮影し、撮影した映像に日時を挿入するようにした前記映像記録装置が提案されている。
【０００４】
しかしながら、前記監視カメラの場合においても、また自動販売機に監視カメラ等を付設した場合においても、建築物の外壁や電柱、その他の既設の構築物に設置したり、自動販売機に取り付ける関係上、当然のことながら設置工事が必要であって手間がかかっていた。しかも故障の際などにはその修理に多大の時間を要していた。
その際、設置業者やその関係者に建築物の内部構造や、防犯上の問題点を見られてしまうという問題があった。
【０００５】
また、防犯上の優れた機能を備えたものであっても、設置場所の環境の変化、例えば建築物の取り壊しや電柱、自動販売機等の配置換え等の際には取り外しを余儀なくされてしまうという問題があった。
その他、防犯機能を高めるための改変は、防犯装置全体を取り換えることが必要であり、その手間やコストは多大なものとなっていた。
【０００６】
そこで本発明者は特願２０１３−１４２５７４号（特開２０１５−１４９９２号公報、特許文献３参照）において、機器を収容するスタンドアローン型のハウジングを備え、該ハウジングの内部にコントローラおよび充電器を設置するとともに、該コントローラには緊急通報ボタン、対人・対物センサ、監視カメラ、集音器や集音マイクを含む入力手段と、点滅灯や回転灯、スポットライトを含む警告灯、警報音や言語による警告を発するスピーカ、画像表示部を含む出力手段とが接続され、かつ主要な入力手段および出力手段が、前記コントローラと共通のインターフェースにより交換可能とされているスタンドアローン型セキュリティ装置を提案した。
【先行技術文献】
【特許文献】
【０００７】
【特許文献１】特開平９−３５１３３号公報
【特許文献２】実用新案登録第３０９４５３７号公報
【特許文献３】特開２０１５−１４９９２号公報
【発明の概要】
【発明が解決しようとする課題】
【０００８】
しかしながら、特開２０１５−１４９９２号公報（特許文献３）に記載のスタンドアローン型セキュリティ装置においては、ハウジングが内部に収納する機器のための温度調節、防水、調湿または防塵機能を備えていない。
そのため、例えば監視カメラ、集音器や集音マイクを含む入力手段、また点滅灯や回転灯、スポットライトを含む警告灯、警報音や言語による警告を発するスピーカ、画像表示部を含む出力手段等として、防水機能や防湿機能、防塵機能、耐熱機能を備えた機器類を装着する必要があり、設置に費用や手間がかかることは勿論、非常に高価なものとなってしまうという欠点があった。
そこで本発明は、設置に費用や手間がかかることがなく、かつ非常に利用しやすいコストで提供することができる自立型セキュリティ装置を提供しようとするものである。
【課題を解決するための手段】
【０００９】
したがって本発明の自立型セキュリティ装置は、設置場所における設置工事を不要とした、各種緊急対応のための機器類を収容する自立型の移動可能なハウジングを備え、
該ハウジングにはハウジング内部の温度調節、防水、調湿または防塵を可能とする機器を備えるとともに、
前記ハウジング内には温度調節、防水、調湿または防塵機能を有しない各種緊急対応のための機器類を収納可能としたことを特徴とするものである。
【００１０】
本発明の自立型セキュリティ装置において、前記各種緊急対応のための機器類は、種々の情報を表示するためのサイネージ機器、顔認証や監視のために使用する撮像カメラ、音楽や音声案内を流す音響機器から選ばれてなることをも特徴とするものである。
【００１１】
本発明の自立型セキュリティ装置において、前記各種緊急対応のための機器類は、それぞれ通常スペックの映像機器、撮像カメラ、および＼または音響機器から選ばれてなることをも特徴とするものである。
【００１２】
本発明の自立型セキュリティ装置において、前記各種緊急対応のための機器類は、それぞれＡＥＤ、非常用応急薬品および＼または消火器から選ばれてなることをも特徴とするものである。
【００１３】
本発明の自立型セキュリティ装置において、前記機器を収容する自立型の移動可能なハウジングは、前記顔認証や監視のために使用する撮像カメラのカモフラージュのため、もしくは撮像カメラに顔が向くようにするための映像機器、ルータ等を含む通信機器、ハウジング内外の温度・湿度・気圧・風速等の各種の気象情報を測定するための百葉箱に類似した測定機器類、パンフレット受け、および＼または広告貼付部材を設置可能としたことをも特徴とするものである。
【発明の効果】
【００１４】
本発明の自立型セキュリティ装置は、各種機器類を収納するハウジング自体が温度調節、防水、調湿または防塵機能を備えている。
このように本発明によれば、例えば監視カメラ、集音器や集音マイクを含む入力手段、また点滅灯や回転灯、スポットライトを含む警告灯、警報音や言語による警告を発するスピーカ、画像表示部を含む出力手段等として、防水機能や防湿機能、防塵機能、耐熱機能を備えた機器類を装着する必要がなくなった。
そのため組み付け等にほとんど手間がかからず、しかもコストを大幅に低減することができる。
【図面の簡単な説明】
【００１５】
【図１】本発明の自立型セキュリティ装置の第１実施例を示す概略正面図である。
【図２】その概念側面図である。
【図３】その概略背面図である。
【図４】その概略平面図である。
【図５】その概略断面図である。
【図６】その概略斜視図である。
【図７】本発明の自立型セキュリティ装置の第２実施例を示す概略正面図である。
【図８】その概念側面図である。
【図９】その概略背面図である。
【図１０】その概略平面図である。
【図１１】その概略断面図である。
【図１２】その概略斜視図である。
【発明を実施するための形態】
【００１６】
図１ないし図６は本発明の第１実施例を示す概略図である。
すなわち、図１ないし図４、図６に示すように、本実施例の自立型セキュリティ装置１０は、設置場所における設置工事を不要とした、各種緊急対応のための機器類を収容する自立型の移動可能なハウジング１１を備えている。このように自立型とすることにより、設置場所の環境の変化、例えば建築物の取り壊しや電柱、自動販売機等の配置換え等の際にも何ら影響を受けることがない。
図において１５はハウジング１１を移動可能とするキャスタ、１６は所定位置で固定するための昇降可能なアジャスタである。
【００１７】
図５に示すように、前記自立型ハウジング１１には、該ハウジング１１内部の温度調節、防水、調湿または防塵を可能とする機器を備えている。
すなわち、前記ハウジング１１そのものを、フィン１２等の設置部分の枠の外周部分にパッキング等を介在させることにより、防水性を高めて内部に雨滴などが侵入しないようにするとともに、付着した結露等を排水する溝等を設けた防水仕様とすることが望ましい。
前記温度調節、調湿または防塵を可能とする機器類としては、例えば電気機器類の対応温度（使用周囲温度）や湿度を管理するための空調装置１３がある。すなわち、ハウジング１１内部の温度が上昇した場合はファン１２や空調装置１３の冷却機能で対応し、冷えすぎた場合は空調装置１３の加温機能で対応し、収納した電機機器類の使用周囲温度を管理するのである。
また発生した塵芥を除去するための空気清浄装置１４等も挙げられる。
【００１８】
また自立型ハウジング１１に収納する前記各種緊急対応のための機器類としては、種々の情報を表示するためのサイネージ機器がある。いわゆるデジタルサイネージ（街角の看板やポスターを電子化し、液晶パネルやプロジェクターなどに画像や動画を配信するメディア）のモニタ２１や、監視カメラあるいは顔認証や監視のために使用する撮像カメラ２２、音楽や音声案内を流す再生装置２３のスピーカなどを含む音響機器から選ばれるものである。
【００１９】
前記自立型ハウジング１１に収納する前記各種緊急対応のための機器類は、前記ハウジング１１そのものが、ハウジング１１内部の温度調節、防水、調湿または防塵機能を備えていることを前提としている。
すなわち前記各種緊急対応のための機器類は、それぞれ通常スペックのデジタルサイネージ（平面ディスプレイやプロジェクタなどによって映像や情報を表示する広告媒体）のモニタ２１や、監視カメラあるいは顔認証や監視のために使用する撮像カメラ２２、音楽や音声案内を流す再生装置２３のスピーカなどを含む音響機器から選ぶことができる。なお、このようなデジタルサイネージ等の映像機器や撮像カメラ、音楽や音声案内を流す音響機器のための電源も搭載することができ、この電源としては通常のプラグインによる電力供給を受けるためのＡＣアダプタや充電済みバッテリ、ソーラー装置等を挙げることができる。
したがって、前記各種緊急対応のための機器類のハウジング１１内部への組み付け等にほとんど手間がかからず、しかも機器類として通常スペックの廉価なものを使用することが可能となるため、製造コストを大幅に低減することができる。
【００２０】
前記自立型ハウジング１１に収納する前記各種緊急対応のための機器類としては、デジタルサイネージ（平面ディスプレイやプロジェクタなどによって映像や情報を表示する広告媒体）のモニタ２１や、監視カメラあるいは顔認証や監視のために使用する撮像カメラ２２、音楽や音声案内を流す再生装置２３のスピーカなどを含む音響機器以外のものも搭載することができる。
例えば、ＡＥＤ、非常用応急薬品および＼または消火器から選ぶことも可能である。
【００２１】
本実施例の自立型セキュリティ装置において、前記機器を収容する自立型の移動可能なハウジング１１は、前記顔認証や監視のために使用する撮像カメラ２２のカモフラージュのため、もしくは撮像カメラ２２に顔が向くようにするための前記モニタ２１を含む映像機器、無線通信用のルータ（異なるネットワーク同士を相互接続するネットワーク機器）を内蔵したＷｉｆｉスポット等からなる通信機器（図示せず）、ハウジング内外の温度・湿度・気圧・風速等の各種の気象情報を測定するための百葉箱に類似した測定機器類（図示せず）、側壁に多段に設けたパンフレット受け２４、または広告貼付部材を設置可能な壁面２５等を備えている。もちろん、前記ＡＥＤ、非常用応急薬品および＼または消火器等もカモフラージュの一種となる。
このような前記顔認証や監視のために使用する撮像カメラ２２のカモフラージュを搭載することにより、本実施例の自立型セキュリティ装置の周囲を通過する歩行者等は警戒感無く接近するので、より顔認証や監視のために好適な画像を撮像カメラ２２によって撮影することができるようになる。
【００２２】
図７ないし図１２は本発明の第２実施例を示す概略図である。
すなわち、図７ないし図１０、図１２に示すように、本実施例の自立型セキュリティ装置３０は、設置場所における設置工事を不要とした、各種緊急対応のための機器類を収容する自立型の移動可能なハウジング３１を備えている。このように自立型とすることにより、設置場所の環境の変化、例えば建築物の取り壊しや電柱、自動販売機等の配置換え等の際にも何ら影響を受けることがない。
図において３５はハウジング３１を移動可能とするキャスタ、３６は所定位置で固定するための昇降可能なアジャスタであって、それぞれ前記ハウジング３１を安定的に支持するように所定面積とした搭載盤３７の四隅に取り付けられている。
【００２３】
この実施例においても、前記自立型ハウジング３１には、該ハウジング３１内部の温度調節、防水、調湿または防塵を可能とする機器を備えている。
前記温度調節、調湿または防塵を可能とする機器類としては、例えば電気機器類の対応温度（使用周囲温度）や湿度を管理するための空調装置３３がある。すなわち、ハウジング３１内部の温度が上昇した場合は空調装置３３の冷却機能で対応し、冷えすぎた場合は空調装置３３の加温機能で対応し、収納した電機機器類の使用周囲温度を管理するのである。
【００２４】
また自立型ハウジング３１に収納する前記各種緊急対応のための機器類としては、種々の情報を表示するためのサイネージ機器がある。いわゆるデジタルサイネージ（街角の看板やポスターを電子化し、液晶パネルやプロジェクターなどに画像や動画を配信するメディア）のモニタ４１や、監視カメラあるいは顔認証や監視のために使用する撮像カメラ４２、音楽や音声案内を流す再生装置４３のスピーカなどを含む音響機器から選ばれるものである。
【００２５】
前記自立型ハウジング３１に収納する前記各種緊急対応のための機器類としては、デジタルサイネージ（平面ディスプレイやプロジェクタなどによって映像や情報を表示する広告媒体）のモニタ４１や、監視カメラあるいは顔認証や監視のために使用する撮像カメラ４２、音楽や音声案内を流す再生装置４３のスピーカなどを含む音響機器以外のものも搭載することができる。
例えば、この実施例においては、下部の収納スペース４６にＡＥＤ４７を収納したものである。もちろん、非常用応急薬品および＼または消火器から選ぶことも可能である。
【００２６】
本実施例の自立型セキュリティ装置においても、前記機器を収容する自立型の移動可能なハウジング３１は、図１１に示すように前記顔認証や監視のために使用する撮像カメラ４２のカモフラージュのため、もしくは撮像カメラ４２に顔が向くようにするための前記モニタ４１を含む映像機器、側壁に多段に設けたパンフレット受け４４、または広告貼付部材を設置可能な壁面４５等を備えている。
もちろん、無線通信用のルータ（異なるネットワーク同士を相互接続するネットワーク機器）を内蔵したＷｉｆｉスポット等からなる通信機器（図示せず）、ハウジング内外の温度・湿度・気圧・風速等の各種の気象情報を測定するための百葉箱に類似した測定機器類（図示せず）、前記ＡＥＤ、非常用応急薬品および＼または消火器等もカモフラージュの一種とすることができる。
このような前記顔認証や監視のために使用する撮像カメラ４２のカモフラージュを搭載することにより、本実施例の自立型セキュリティ装置の周囲を通過する歩行者等は警戒感無く接近するので、より顔認証や監視のために好適な画像を撮像カメラ４２によって撮影することができるようになる。
【産業上の利用可能性】
【００２７】
本発明は１つのハウジング内に種々のセキュリティ手段を搭載可能な自立型セキュリティ装置であるため、デパートやコンビニエンスストア等の店舗、監視を必要とする事業所、公共機関、球技場、公園、観光施設や学校等の教育機関の屋内、屋外に配置することができ、該当場所で移動させるのみで設置が完了する。
設置できる例を挙げると以下の通りである。
１）各種店舗や事業所の入口付近
２）各種店舗や事業所のエレベータ周辺
３）各種店舗や事業所のエスカレータ周辺
４）各種店舗や事業所の階段周辺
５）各種店舗の売り場や事業所の受付周辺
６）各種店舗や事業所のトイレ周辺
もちろん、その他適宜の用途に利用することができる。
【００２８】
さらに、各種店舗や事業所の近傍に設置されている各種の防犯用機器とは異なる態様で配置することができ、各種店舗や事業所の監視用としてのみならず、各種店舗や事業所で発生する事故や各種の犯罪の監視にも利用することができる。
【符号の説明】
【００２９】
１０  自立型セキュリティ装置
１１  ハウジング
１２  フィン
１３  空調装置
１４  空気清浄装置
１５  キャスタ
１６  アジャスタ
２１  デジタルサイネージのモニタ
２２  撮像カメラ
２３  再生装置
２４  パンフレット受け
２５  広告貼付部材を設置可能な壁面
３０  自立型セキュリティ装置
３１  ハウジング
３３  空調装置
３５  キャスタ
３６  アジャスタ
３７  搭載盤
４１  デジタルサイネージのモニタ
４２  撮像カメラ
４３  再生装置
４４  パンフレット受け
４５  広告貼付部材を設置可能な壁面
４６  収納スペース
４７  ＡＥＤ
【図１】
2017147309.tif 000003
【図２】
2017147309.tif 000004
【図３】
2017147309.tif 000005
【図４】
2017147309.tif 000006
【図５】
2017147309.tif 000007
【図６】
2017147309.tif 000008
【図７】
2017147309.tif 000009
【図８】
2017147309.tif 000010
【図９】
2017147309.tif 000011
【図１０】
2017147309.tif 000012
【図１１】
2017147309.tif 000013
【図１２】
2017147309.tif 000014